Podtech/llm-jp-corpus-v4-ja_patent huggingface dataset:
(57)【要約】【課題】ジュースやビールなど飲み終わった飲料用金属容器内の残留液を低減させる。【解決手段】ジュースやビールなどの飲料用金属容器の上面上蓋部分の表側と裏側の飲料液が残る部分に親水処理を施し、飲料液が残らないようにした。【選択図】   図１
0003140643.tif 000002
【実用新案登録請求の範囲】
【請求項１】
本考案は缶ジュースや缶ビールなどの飲料用金属缶に関するもので、飲料用缶１の缶上面上蓋部分の表側の飲料液が残り易い部分６と裏側の飲料液が残り易い部分７に微細な凹凸加工による親水処理を施して、残留液を低減させた飲料用金属缶である。
【考案の詳細な説明】
【技術分野】
【０００１】
本考案は缶ジュースや缶ビールなどの飲料用金属缶に関するもので、飲料用缶１の缶上面上蓋部分の表側の飲料液が残り易い部分６と裏側の飲料液が残り易い部分７に微細な凹凸加工による親水処理を施して、残留液を低減させた飲料用金属缶である。
【背景技術】
【０００２】
従来、缶ジュースや缶ビールなどの飲料用金属缶は中身をすべて飲み干したつもりでも、ジュース又はビールなどの飲料液が缶内に残ってしまう。
【考案の開示】
【考案が解決しようとする課題】
【０００３】
缶ジュースや缶ビールなどの飲料用金属缶は中身をすべて飲み終わったつもりでもジュース又はビールなどの飲料液が缶内に残ってしまう。又、缶を逆さにして振ったとしても飲料液を残さないことは難しいという不都合を解決する事を課題とする。
【課題を解決するための手段】
【０００４】
上記目的を達成するために、缶ジュースや缶ビールなどの飲料用金属缶の上面上蓋部分の表側と裏側の飲料液が残る部分に微細な凹凸加工による親水処理を施した。
【考案の効果】
【０００５】
飲料用金属缶の上面上蓋部分の表側と裏側の飲料液が残る部分に微細な凹凸加工による親水処理を施せば、飲み口付近に飲料液が留まらず、スムーズに流れ出るため、飲料液の残留量が低減される。又、飲料液の残留量が低減される事により、缶リサイクルの際の課題である再生純度低下の低減などにも貢献する
【考案を実施するための最良の形態】
【０００６】
図１は缶上面上蓋部分の裏側の平面図である。同図に示すように、缶の縁と飲み口の間の飲料液の残り易い部分に微細な凹凸加工による親水処理を施すことにより、飲み口付近に飲料液が留まらず、スムーズに流れ出るため飲料液の残留量が低減される。また、図２の示すように上面上蓋部分の表側も同様に微細な凹凸加工による親水処理を施す。
【図面の簡単な説明】
【０００７】
【図１】飲料用缶上面上蓋部の裏側に微細な凹凸加工による親水処理を施した平面図である。
【図２】飲料用缶上面上蓋部の表側に微細な凹凸加工による親水処理を施した平面図である。
【図３】缶上面上蓋部分の表側の飲料液が残り易い部分を表した平面図である。
【図４】缶上面上蓋部分の裏側の飲料液が残り易い部分を表した平面図である。
【図５】飲料用缶上面上蓋部の表裏に施した微細な凹凸加工による親水処理を拡大した図である。
【図６】微細な凹凸加工による親水処理を施した部分の拡大断面図である。
【図７】飲料用缶の全体図である。
【符号の説明】
【０００８】
１  飲料用缶
２  飲み口
３  裏側から見た缶上面上蓋部分
４  表側から見た缶上面上蓋部分
５  プルトップ
６  缶上面上蓋部分の表側の飲料液が残り易い部分
７  缶上面上蓋部分の裏側の飲料液が残り易い部分
８  微細な凹凸加工による親水処理を施した部分
９  微細な凹凸加工を施した部分の拡大断面図
【図１】
0003140643.tif 000003
【図２】
0003140643.tif 000004
【図３】
0003140643.tif 000005
【図４】
0003140643.tif 000006
【図５】
0003140643.tif 000007
【図６】
0003140643.tif 000008
【図７】
0003140643.tif 000009
(57)【要約】      （修正有）【課題】長時間着用しても圧迫感が無く、リラックスして着用可能で、且つ、ゴム編み部の耐久性が良く、保温性に優れた弛緩適合型ソックスを開発・提供する。【解決手段】通常の指無しカカト付ソックス、或いは、五本指型カカト付ソックス、或いは、ミトン型カカト付ソックス等のソックスにおいて、ソックスは足首部から上部を脹脛部Ｃ周囲形状に合わせて針の数を増減して編み目の数を変更し、半長尺先拡がり状に形成して設け、且つ、上端口ゴム編み部１ａと足首部、或いは全体にゴム編み部１ｂを形成して設ける。【選択図】図４
0003140641.tif 000002
【実用新案登録請求の範囲】
【請求項１】
通常の指無しカカト付ソックス、或いは、五本指型カカト付ソックス、或いは、ミトン型カカト付ソックス等のソックスにおいて、該ソックス（１）は足首部から上部を脹脛部（Ｃ）周囲形状に合わせて針の数を増減して編み目（Ｍ）の数を変更し、半長尺先拡がり状に形成して設け、且つ、上端口ゴム編み部（１ａ）と足首部（１ｂ）、或いは全体にゴム編み部を形成して設けた事を特徴とする弛緩適合型ソックス。
【考案の詳細な説明】
【技術分野】
【０００１】
この考案は、足首部から上部を脹脛形状に合わせた長尺先拡がり状に形成して設けた弛緩適合型ソックスに関するものである。
【背景技術】
【０００２】
従来、通常の指無しカカト付ソックスや、五本指カカト付ソックスやミトン型カカト付ソックスの足首から上端迄のゴム編み部は、ゴムの強さによって仕上がり寸法を変える事は出来ても、針の数を変えて幅寸法を変える事は出来なかった。従って足首部の寸法とほぼ同寸幅に形成されているものが大半で、この場合、着用した時はさほど圧迫感を感じないが、長時間着用していると徐々に圧迫感を覚える等の問題が出ている。
【０００３】
又、長尺ソックスの場合、特に足首から上の脹脛部が大きく成っている為、長期間使用している内にゴム編み部が伸びきってしまい、気持ち良く使用できなくなる等の問題がある。
【０００４】
そこで、これまでに出願されているハイソックスの特許文献を参考の為、紹介する。（特許文献１参照。）
【特許文献１】特開２００５−３２５４８６
【０００５】
上記の特許文献１は、本考案とは全く逆の目的・機能を有するものであって、口ゴム部と前面の脛側及び後面の脹脛側から成るレッグ部と足首部と踵部と土踏まず部位を含むフート部とから成る着圧ハイソックスにおいて、少なくとも踵部以外の編糸に弾性糸から成る挿入糸を挿通し、爪先部と前記踵部に前記表糸に紡績糸、裏糸にフィラメント・ツイスト・ヤーンを使用するとともに裏糸に補強糸を挿入して編成し、前記レッグ部を上から下に順次編目の長さを短くするとともに、脛側の編目長を長く脹脛側の編目長を短くし、挿入糸の供給量を前記レッグ部を上部から下部に順次減少して編成し、上部の着圧をソフトにした着圧ハイソックスを構成する事で、足の疲労回復を早めようとするものである。
【考案の開示】
【考案が解決しようとする課題】
【０００６】
そこで、上記課題を解決する為に、この考案は長時間着用しても圧迫感が無く、リラックスして着用可能で、且つ、ゴム編み部の耐久性が良く、保温性に優れた弛緩適合型ソックスを開発・提供する事にある。
【課題を解決するための手段】
【０００７】
この課題を解決する為の手段として、足首部から上部を脹脛部周囲形状に合わせて針の数を増減して横幅の調整をし、半長尺先拡がり状に形成して設け、且つ、上端口ゴム編み部と足首部、或いは全体にゴム編み部を形成して設けたものである。
【考案の効果】
【０００８】
この考案の効果として、足首部から上部を脹脛部周囲形状に合わせて針の数を増減して横幅の調整をし、半長尺先拡がり状に形成して設け、且つ、上端口ゴム編み部と足首部、或いは全体にゴム編み部を形成して設けた事で、長時間着用しても圧迫感が無く、リラックスして着用可能で、且つ、快適なフィット感が得られ、且つ、ゴム編み部の耐久性が良く、保温性に優れる等、極めて有益なる効果を奏するものである。
【考案を実施するための最良の形態】
【０００９】
この考案の最良の形態として、使用する目的・用途に応じた最適寸法形状・材質等を選定し、効果的、且つ、経済的な弛緩適合型ソックスを形成する事が重要である。
【実施例１】
【００１０】
そこで、この考案の一実施例を図１〜図３に基づいて詳述すると、通常の指無しカカト付ソックス、或いは、五本指型カカト付ソックス、或いは、ミトン型カカト付ソックス等のソックスにおいて、該ソックス（１）は足首部から上部を脹脛部（Ｃ）周囲形状に合わせて針の数を増減して編み目（Ｍ）の数を変更し、半長尺先拡がり状に形成して設け、且つ、上端口ゴム編み部（１ａ）と足首部（１ｂ）にゴム編み部を形成して設けた事を特徴とする弛緩適合型ソックスから構成される。
【００１１】
次に、この考案の詳細について説明すると、図１に示す様に、人の足は足首から脹脛部（Ｃ）にかけて除々に大きく成り、更に膝下あたりでやや細く成っているのが通常である。従って、脹脛部に負担（外圧）を掛けない様にする為には、図４に示す様に足首部から脹脛部（Ｃ）の形状に合わせて針数を変えて除々に編み目（Ｍ）の数を変更（増・減）しながら編み込んでいき、且つ、上端口ゴム編み部（１ａ）と足首部（１ｂ）とにゴム編み部を形成して密着する事でズレを防止させ、快適なフィット感を得る事ができる。
【００１２】
尚、上記（００１１）のゴム編み部に関しては、物によっては使用目的に応じて場所を変更したり、或いは全体に入れたりしても良い。
【００１３】
又、図２（Ａ）は本考案の左足用五本指カカト付弛緩適合型ソックスの正面図で、（Ｂ）は下面図を示す。
【００１４】
又、図３（Ａ）は本考案の左足用五本指カカト付弛緩適合型ソックスの平面図で、（Ｂ）は右側面図を示す。
【産業上の利用可能性】
【００１５】
この考案の弛緩適合型ソックスは、長時間着用しても圧迫感が無く、リラックスして着用可能で、且つ、ゴム編み部の耐久性が良く、保温性に優れている為、多くの市場・消費者に寄与する点で産業上の利用可能性を有する。
【図面の簡単な説明】
【００１６】
【図１】この考案の一実施例を示し、左足用五本指カカト付弛緩適合型ソックスの右前方斜視図である。
【図２】この考案の一実施例を示し、左足用五本指カカト付弛緩適合型ソックスの正面図で、（Ｂ）は下面図を示す。
【図３】この考案の一実施例を示し、左足用五本指カカト付弛緩適合型ソックスの平面図で、（Ｂ）は右側面図を示す。
【図４】この考案の一実施例を示し、図２の部分拡大詳細図を示す。
【図５】この考案の従来例を示し、左足用五本指カカト付ソックスの右前方斜視図である。
【符号の説明】
【００１７】
１  左足用五本指カカト付弛緩適合型ソックス
１'  左足用五本指カカト付ソックス（従来型）
１ａ  上端口ゴム編み部
１ａ'  上端口ゴム編み部（従来型）
１ｂ  足首部のゴム編み部
Ｃ  脹脛部
Ｍ  編み目
【図１】
0003140641.tif 000003
【図２】
0003140641.tif 000004
【図３】
0003140641.tif 000005
【図４】
0003140641.tif 000006
【図５】
0003140641.tif 000007
(57)【要約】【課題】納骨堂の棚板がローラがなくともスムーズにスライドできるようにする。【解決手段】納骨堂１は石材３を４枚組み合わせて箱形に形成される。左右の壁は、内面上部を削って形成されたレール５をそれぞれ有しており、それら両レールの上に跨るように棚板７が支持される。レール５の上面は、小石などの異物を咬んでもすぐ排出できるように波型に形成されている。棚板７は内部に金網を入れたガラス板で、厚さは6mmほどでる。【選択図】図２
0003140644.tif 000002
【実用新案登録請求の範囲】
【請求項１】
上面に納骨口を備えた石材製の箱体であって、該箱体の相対向する壁に沿ってそれぞれレールを設け、それらレールの上に、ガラス製の棚板をスライド自在に支持した納骨堂。
【請求項２】
該レールが該壁から削り出されたものであって、その上面が波形に形成されている請求項１に記載の納骨堂。
【考案の詳細な説明】
【技術分野】
【０００１】
この考案は墓石の下部に配置される納骨堂（カロート）に関する。
【背景技術】
【０００２】
内部スペースを有効に活用すると共に、納骨作業をしやすくするために、従来、納骨堂内部に設けられる、骨壷を載せるための石材製の棚をスライド自在にしたものがある。棚板はかなりの重量があり、これをスライドさせるのに大きな力を要する。そこで棚板の両縁にローラを設けて、これらローラがレールの上を転動するようにしている（特許文献１参照）。しかし、納骨堂の中は湿気や結露が多く、ローラ本体またはその軸が腐食しやすく、長期の使用に絶えられない。ひとたびローラに不具合が生じると、狭い納骨堂の中での作業となって修理は容易でない。
【特許文献１】実用新案登録第３１１０６３１号公報
【考案の開示】
【考案が解決しようとする課題】
【０００３】
この考案は、ローラを設けなくとも、納骨堂の棚板をスムーズにスライドできるようにすることを課題とする。
【課題を解決するための手段】
【０００４】
この考案の納骨堂は、上面に納骨口を備えた石材製の箱体であって、箱体の相対向する壁に沿ってそれぞれレールを設け、それらレールの上に、ガラス製の棚板をスライド自在に支持したことを特徴とする。
【０００５】
従来は石材で作られていた棚板を、このようにガラス板で形成したので、従来の石材製のものに比べて薄く、したがって軽く形成することができる。また、ガラスの表面は摩擦が少ないので、重量が軽いことと相俟って、小さな力で棚板をスライドさせることが可能になる。
【０００６】
レールは、石材製の壁から削り出すように形成することが望ましい。こうすれば、部品点数が少なくなり、安価に供給することができる。なお、レールの上面は波形に形成するとよい。こうすると、レールと棚板の間に小石のような異物を噛んだ場合でも、棚板を動かすことで異物が波型の山から谷に落下するので、棚板の動きがいつもスムースに保たれる。
【考案を実施するための最良の形態】
【０００７】
この考案の実施例を図面に基づいて説明する。納骨堂１は、図１、図２に示すように、４枚の石材３、４を組み合わせて箱形に形成される。左右の壁は、内面上部を削って形成されたレール５をそれぞれ有しており、それら両レールの上に跨るように棚板７が支持される。レール５の各々は、幅が20mmほどで、上面は、小石などの異物を咬んでもすぐ排出できるように波型に形成されている。棚板７はガラス製で、厚さが6mmほどであり、内部に金網を入れたものを使用している。棚板７には取っ手金具７ａを取り付ける。図３は納骨堂の平面図であり、棚板７の奥行きは、納骨堂の奥行きの60％ほどである。
【０００８】
図４は設置状態の納骨堂断面図であり、基礎コンクリート９を打設した上に、納骨堂１を設置する。納骨堂１の上に、納骨口１１を残して、墓石１３を載せる。納骨口１１は蓋石１５で塞ぐ。蓋石１５の上には、香炉や物入れなどの石材製の箱体１７を載せる。
【０００９】
納骨の際は、箱体１７と蓋石１５を取り除いて、骨壷１９を納骨堂内に収める。その際、あらかじめ棚板７を手前に引き寄せておき、棚板７の前の方にすでに載っている骨壷１９を奥の方に押しやっておく。この状態で納骨口から差し入れた骨壷を、棚板の上に載せるようにする。
【００１０】
なお、すでに収めた骨壷で棚の上が一杯のときは、古い骨壷を取り出して、空きスペースを作ってから、新たな骨壷を収める。取り出した古い骨壷の遺骨は、納骨口の直下に設けた開口２１から土に返してやるようにする。
【００１１】
なお、箱体１７と蓋石１５は重いので、それらを取り除かなくとも納骨できるよう、あらかめ蓋石１５および箱体１７の底板のそれぞれに、骨壷１９が通るくらいの小穴２３、２５をあけておいて、箱体１７の上蓋をあけてその中から納骨できるようにしてもよい。
【図面の簡単な説明】
【００１２】
【図１】納骨堂の組立図である。
【図２】納骨堂の斜視図であり、内部がよく見えるよう一部を切り欠いて示す。
【図３】納骨堂の平面図である。
【図４】納骨堂の設置状態断面図である。
【符号の説明】
【００１３】
１    納骨堂
５    レール
７    棚板
１１  納骨口
【図１】
0003140644.tif 000003
【図２】
0003140644.tif 000004
【図３】
0003140644.tif 000005
【図４】
0003140644.tif 000006
(57)【要約】      （修正有）【課題】やけどの危険を少なくした、省エネルギーのこたつを提供する。【解決手段】ニクロム線を銅板で包みこみ、熱効率を高めたもので、省エネルギーを特徴とするやぐらこたつである。【選択図】図１
0003140685.tif 000002
【実用新案登録請求の範囲】
【請求項１】
やぐらコタツに銅板と鉄板を２枚使い、やけどの危険を少なくした。
【請求項２】
熱の放射板を大きくした。
【請求項３】
ニクロム線をつつみこみ、熱効率をたかめた。
ニクロム線はガラス管でつつむこと。
〔請求項目３〕鉄板には空気穴を作ること。
銅板のつぎめは溶接すること。
【考案の詳細な説明】
【考案の効果】
やけどの危険を少なくし、熱効率を高めた。
【図１】
0003140685.tif 000003
【手続補正書】
【提出日】平成19年2月21日(2007.2.21)
【手続補正１】
【補正対象書類名】実用新案登録請求の範囲
【補正対象項目名】全文
【補正方法】変更
【補正の内容】
【実用新案登録請求の範囲】
【請求項１】
▲１▼やぐらコタツの熱源を銅板で包みこんだ。
▲２▼鉄網で包み、やけどの危険を少なくした。
0003140685.tif 000004
0003140685.tif 000005
0003140685.tif 000006
【手続補正書】
【提出日】平成19年5月31日(2007.5.31)
【手続補正１】
【補正対象書類名】実用新案登録請求の範囲
【補正対象項目名】全文
【補正方法】変更
【補正の内容】
【実用新案登録請求の範囲】
【請求項１】
▲１▼  ニクロム線を銅板で包みこみ熱効率をたかめた。
▲２▼  省エネルギーを特徴とするやぐらコタツである。
【手続補正２】
【補正対象書類名】図面
【補正対象項目名】全図
【補正方法】変更
【補正の内容】
【図１】
0003140685.tif 000007
【図２】
0003140685.tif 000008
【図３】
0003140685.tif 000009
【手続補正書】
【提出日】平成19年9月18日(2007.9.18)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【考案の詳細な説明】
【０００１】▲１▼      銅板と鉄板（鉄網でもかまわない）の２枚使用し、やけどの危険を少なくした。
▲２▼      熱の放射板を今までよりも大きくした。
▲３▼      ニクロム線を（熱源）包み込み熱効率を高めた。
【考案の効果】
【０００２】やけどの危険を少なくし、熱効率を高めた。
【図面の簡単な説明】
【０００３】
【図１】は平面図。
【図２】は立体図。
【図３】は側面図。
(57)【要約】【課題】紳士服の胸ポケットからハンカチーフを出しお洒落を楽しむことはあるが、必要と思われるときに、ハンカチーフを忘れていることがある。【解決手段】・胸ポケットの袋地を裏地又は、ハンカチーフ地の柄とサイズをを２種類用意する。・２種類の縫い合わせた袋地の両端をハコポケット縫代と、胸ポケット向当てに縫い合わせる。向当てに縫い合わせる。・普段は普通の胸ポケットだが、２種類の内、必要に応じて袋を引き出して飾りポケットチーフを楽しめる。・この応用で３種類の飾りポケットチーフもできる。・使用しない時は、ペンなどで中に押し込む。【選択図】図５
0003140688.tif 000002
【実用新案登録請求の範囲】
【請求項１】
・上着の胸ポケット袋地を裏地やチーフ地に換えて、その袋地を表側に引き出したとき、飾りポケットチーフになる、これを２重又は、３重にすることにより、１着の上着に２種類又は、３種類の飾りポケットチーフが楽しめる。
【考案の詳細な説明】
【技術分野】本考案は、上着の胸ポケットから２種類又は、３種類の飾りポケットチーフが楽しめるようにした上着である。
【背景技術】紳士服の胸ポケットからハンカチーフを出しお洒落を楽しむことはあるが、必要と思われるときに、ハンカチーフを忘れていることがある。
紳士服の胸ポケットの飾りポケットチーフはあったが、１種類の柄しかなかった。
【考案の開示】
【考案が解決しようとする課題】
【０００１】紳士服の胸ポケットからハンカチーフを出しお洒落を楽しむことはあるが、必要と思われるときに、ハンカチーフを忘れていることがある。
ハンカチーフを忘れた時、ポケットチーフでのお洒落を楽しめなかった。
【課題を解決するための手段】
【０００２】・胸ポケットの袋地を裏地又は、ハンカチーフ地で２種類にカットする。
・２種類の袋地を縫い合わせる。
・縫い合わせた地縫い内側に接着芯を貼り、柔らかい裏地を安定させる。
・縫い合わせた袋地の両端をハコポケット縫代と、胸ポケット向う当てに縫い合わせる。
・袋地を縦に袋縫いした後、袋上部の両端を毛芯に止めて、必要以上に袋が上がらないようにする。
・普段は普通の胸ポケットだが、２種類の内、必要に応じて袋を引き出して飾りポケットチーフを楽しめる。
・この応用で３種類の飾りポケットチーフもできる。
・使用しない時は、ペンなどで中に押し込む。
【考案の効果】
【０００３】ハンカチーフを忘れた時でも、飾りポケットチーフでのお洒落を楽しめる。
２種類又は、３種類の柄の袋地を使用することにより、時間や場所での使い分けができる。
袋地の型紙を大・小又は、大・中・小と分けることにより、表からのアタリが控えられる。
ポケットチーフ用のハンカチーフを持たなくてもよくなる。
【図面の簡単な説明】
【０００４】
【図１】ポケットチーフの袋地型紙（小）図面
【図２】ポケットチーフの袋地型紙（大）図面
【図３】袋地（小）と袋地（大）の地縫い個所と接着個所の図面
【図４】ポケットチーフの袋地とハコへの地縫い個所の図面
【図５】袋地と毛芯との止め個所と、使用例図面
【符号の説明】
【０００５】  １  ポケットチーフの袋地型紙（小）
２  ポケットチーフの袋地型紙（大）
３  袋地（小）と袋地（大）の地縫い個所
４  接着個所
５  胸ポケット向う当て側と袋地（小）の地縫い個所
６  胸ポケット箱側と袋地（大）の地縫い個所
７  胸ポケット向う当て
８  胸ポケットハコ
９  袋地（小）と袋地（大）の袋地縫い
１０  袋地と毛芯との止め個所
【図１】
0003140688.tif 000003
【図２】
0003140688.tif 000004
【図３】
0003140688.tif 000005
【図４】
0003140688.tif 000006
【図５】
0003140688.tif 000007
【手続補正書】
【提出日】平成19年10月2日(2007.10.2)
【手続補正１】
【補正対象書類名】実用新案登録請求の範囲
【補正対象項目名】全文
【補正方法】変更
【補正の内容】
【実用新案登録請求の範囲】
【請求項１】
・上着の胸ポケット袋地を裏地やチーフ地に換えて、その袋地を表側に引き出したとき、飾りポケットチーフになる、これを２重又は、３重にすることにより、一着の上着に２種類又は、３種類の飾りポケットチーフが楽しめる事を特徴とする上着。
「飾りポケットチーフの構成において、
（１）２種類又は３種類の裏地又はチーフ地を縦長に縫い合わせ袋地を作る、
（２）縫い合わせた袋地の両端を胸ハコ縫代と、胸向う当てに縫い合わせる、
（３）それぞれの袋地をワサ取りに重ねる、
（４）それぞれの袋地を縦に袋縫いする、
以上の構成からなる飾りポケットチーフを有する上着。」
【手続補正書】
【提出日】平成19年12月28日(2007.12.28)
【手続補正１】
【補正対象書類名】実用新案登録請求の範囲
【補正対象項目名】全文
【補正方法】変更
【補正の内容】
【実用新案登録請求の範囲】
【請求項１】
飾りポケットチーフの構成において、
（１）２種類又は３種類の裏地又はチーフ地を縦長に縫い合わせ袋地を作る、
（２）縫い合わせた袋地の両端を胸ハコ縫代と、胸向う当てに縫い合わせる、
（３）それぞれの袋地をワサ取りに重ねる、
（４）それぞれの袋地を縦に袋縫いする、
以上の構成とすることにより、上着の胸ポケット袋地を裏地やチーフ地に換えて、その袋地を表側に引き出したとき、飾りポケットチーフになり、これを２重又は、３重にすることにより、一着の上着に２種類又は、３種類の飾りポケットチーフが楽しめる事を特徴とする、飾りポケットチーフを有する上着。
(57)【要約】      （修正有）【課題】コテ部の金属と柄部のポールを連結金具でセットすれば、作業効率と安定性が実現する。【解決手段】コテ部１枚・バネ鋼の板の中央にアルミ角パイプを補強する。柄部４本継・柄は丸パイプを使用し作業に応じて継ぐ。連結金具・１個・コテ部と柄部をボルトでセットする金具である。【選択図】図３
0003140687.tif 000002
【実用新案登録請求の範囲】
【請求項１】
コテ部と柄部が簡単に分離でき、柄の手元で高低角度が自由に調整出来る。
楽ごて・土間蔵
【考案の詳細な説明】
【考案の詳細な説明】
【産業上の利用分野】
耐震用ベタ基礎生コンクリートのナラシ及び仕上作業に最適で、柄の長さは自由で手元で高低角度が自由に調整出来、作業効率も改善され利用分野が広がる。
又、側溝・土間・ステコン等のナラシ、仕上げ作業にも最適である。
【背景技術】従来は型枠内の生コンクリートの中に長靴で入り、左官コテ等で、ナラシ仕上げ作業をしていた。
【考案が解決しようとする課題】
コテ部と柄部を取り付ける金具の中央に、鉄製の丸パイプを取り付け、パイプの中央に楕円形の溝を縦に切り、その中に取り付け穴を加工した丸棒を入れ寸切ボルトで柄にセットし柄を左右に回転すると、自由に高低角度が調整出来る。
【課題を解決するための手段】
本考案は柄の長さが自由に継ぎたしが出来、型枠の外から作業が出来ます。
柄の手元で柄を左右に回転させると、高低角度が自由に調整出来る。
【作用】
本考案は型枠の外から作業が出来、機能を発揮する。
【実施例】柄の長さは自由、高低角度は手元で調整出来、作業が楽である。
【考案の効果】
型枠内の生コンクリートを外からナラシ仕上げが出来、作業効率が飛躍的に向上した。
【図面の簡単な説明】
【図１】楽ごて・土間蔵の正面図である。
【図２】楽ごて・土間蔵の側面図である。
【図３】楽ごて・土間蔵の分解図である。
【図４】楽ごて・土間蔵の選択図である。
【図１】
0003140687.tif 000003
【図２】
0003140687.tif 000004
【図３】
0003140687.tif 000005
【図４】
0003140687.tif 000006
【手続補正書】
【提出日】平成19年8月30日(2007.8.30)
【手続補正１】
【補正対象書類名】実用新案登録請求の範囲
【補正対象項目名】全文
【補正方法】変更
【補正の内容】
【実用新案登録請求の範囲】
【請求項１】
コテ部の金属と柄部のポール（図３  分解図参照）が簡単に調節出来る構造なので、柄を左右に回転すれば高低角度が自由に調整出来、型枠内の生コンクリートを広範囲にならす事が可能になり、コテ部柄部が簡単に分離出来る為、コンパクトに収納出来、持ち運びが楽である。
【手続補正書】
【提出日】平成19年12月11日(2007.12.11)
【手続補正１】
【補正対象書類名】実用新案登録請求の範囲
【補正対象項目名】全文
【補正方法】変更
【補正の内容】
【実用新案登録請求の範囲】
【請求項１】
コテの中央に金具で柄を直角に取付け、柄の手元で高低角度が自由に調整出来る、楽ごて・土間蔵。
(57)【要約】      （修正有）【課題】人間の基礎体温を測定する体温計が接続されたシート状のマイコンに、電子メール送信機能をもたせて、基礎体温を測定し、測定したデータに基づいて妊娠し易い時期を判断し、所定の相手にお知らせメールを送信する体温測定通知システム。【解決手段】マイクロコンピューター部１０９と、体温測定部１０２と、付着部１０１と、を備えた体温測定通知システムにおいて、マイクロコンピューター部はメール送信部１０５と、体温記録部１０３と、妊娠時期判断部１０４とを有するものとし、付着部にはマイクロコンピューター部と、体温測定部とを設置して、付着部が人体１１０に接触することにより、体温測定部は人体の体温を測定し、前記妊娠時期判断部は測定した体温に基づいて妊娠可能時期を判断し、メール送信部は妊娠可能時期であること知らせるためのお知らせメールを、予め登録された送信先に送信する。【選択図】図１
0003140679.tif 000002
【実用新案登録請求の範囲】
【請求項１】
マイクロコンピューター部と、
体温測定部と、
付着部と、を備えた体温測定通知システムであって、
前記マイクロコンピューター部は、メール送信部と、体温記録部と、妊娠時期判断部とを有して、前記付着部には、前記マイクロコンピューター部と、体温測定部とが設置され、
前記付着部が人体に接触することにより、前記体温測定部は人体の体温を測定し、前記妊娠時期判断部は測定した体温に基づいて妊娠可能時期を判断し、前記メール送信部は妊娠可能時期であること知らせるためのお知らせメールを、予め登録された送信先に送信することを特徴とする体温測定通知システム。
【請求項２】
請求項１に記載の体温測定通知システムにおいて、
付着部は腕に巻くバンド状のものであることを特徴とする体温測定通知システム。
【考案の詳細な説明】
【技術分野】
【０００１】
本考案は、人間の基礎体温を測定し、予め定められ人に測定結果を知らせる体温測定通知システムに関する。
【背景技術】
【０００２】
世の中には子供がほしくても、なかなか妊娠できず、基礎体温を測定する等の努力をしているカップルも多いのが実情である。しかし、基礎体温を継続して測定し、管理することは予想以上に大変である。また、基礎体温により妊娠し易い時期が判明しても、タイムリーに相手に知らせることも難しい。一方、近年は、相手へ連絡は携帯電話等のメール送信機能を利用する場合が多い。また、近年、シート状のマイコンが開発され、種々の用途に応用されつつあり、このようなシート状のマイコンに人間の基礎体温を測定する体温計を付加して、妊娠可能時期を的確に把握し、電子メール送信機能を利用して、妊娠可能時期を相手に知らせることができれば便利である。
【特許文献１】登録実用新案第３１１７７０８号公報
【考案の開示】
【考案が解決しようとする課題】
【０００３】
そこで、本考案は、人間の基礎体温を測定する体温計が接続されたシート状のマイコンに、電子メール送信機能をもたせて、基礎体温を測定し、測定したデータに基づいて妊娠し易い時期を判断し、妊娠し易い時期であると判断された時には、所定の相手にお知らせメールを送信する体温測定通知システムを提供することを目的とする。
【課題を解決するための手段】
【０００４】
請求項１に記載された考案は、マイクロコンピューター部と、体温測定部と、付着部と、を備えた体温測定通知システムであって、
前記マイクロコンピューター部はメール送信部と、体温記録部と、妊娠時期判断部とを有して、前記付着部には前記マイクロコンピューター部と、体温測定部とが設置され、
前記付着部が人体に接触することにより、前記体温測定部は人体の体温を測定し、前記妊娠時期判断部は測定した体温に基づいて妊娠可能時期を判断し、前記メール送信部は妊娠可能時期であること知らせるためのお知らせメールを、予め登録された送信先に送信することを特徴とする。
【０００５】
請求項２に記載された考案は、請求項１に記載の体温測定通知システムに係り、
前記付着部は腕に巻くバンド状のものであることを特徴とする体温測定通知システム。
【考案の効果】
【０００６】
本考案に係る体温測定通知システムによれば、測定と判断が困難な基礎体温を測定して妊娠可能時期を取得し、所定の相手に妊娠可能時期を知らせることが簡単にできる。
【考案を実施するための最良の形態】
【０００７】
以下、図を参照しつつ、本考案を実施するための最良の形態につき説明する。
【０００８】
図１は本考案に係る体温測定通知システムの構成を示すブロック図である。
図１において、１０１は付着部であり、１０２は体温測定部であり、１０９はマイクロコンピューター部である。またマイクロコンピューター部１０９の１０３は体温記録部であり、１０４は妊娠時期判断部であり、１０５はメール送信部であり、１０６は基礎体温データであり、１０７はメールデータである。また、１１０は人体である。
【０００９】
付着部１０１にはマイクロコンピューター部１０９と体温測定部１０２が設置されている。マイクロコンピューター部１０９は体温記録部１０３と、妊娠時期判断部１０４と、メール送信部１０５と、基礎体温データ１０６と、メールデータ１０７を有する。
付着部１０１は人体に接触する部分であり、例えば、腕バンド等により構成する。
【００１０】
体温測定部１０２は体温を測定する部分であり、例えば体温計により構成する。
体温記録部１０３は体温測定部１０２が測定した基礎体温データを記録する。
【００１１】
妊娠時期判断部１０４は、記録された基礎体温データ１０６に基づいて、妊娠可能時期を判断する。基礎体温データ１０６は、測定された基礎体温と測定日時、過去の生理周期を含む。妊娠時期判断部１０４は、測定された基礎体温と測定日時、過去の生理周期に基づいて、次回の妊娠可能時期を判断する。
【００１２】
メール送信部１０５は、妊娠時期判断部１０４が妊娠可能時期であると判断した場合に、予め作成されたメールデータ１０７に基づいて、妊娠可能時期であることを知らせる文面のメールを所定のあて先に送信する。
【００１３】
メールデータ１０７には送信先のアドレス、所定の文面が格納されている。所定の文面は、例えば「今日、早く帰ってね。」、「今日の夕飯はご馳走です。」等のお互いに定めた文面、合図で構成する。
マイクロコンピューター部１０９は例えば、最近開発された所謂シートコンピューターともいわれるものであり、LCDや有機ELディスプレイを形成するガラス基板上に、TFTなどを用いて、より多くの回路機能を一体形成した、薄型軽量コンピュータである。ただし、これ以外の小型コンピューターであってもよい。
【図面の簡単な説明】
【００１４】
【図１】本考案に係る体温測定通知システムの構成を示すブロック図である。
【符号の説明】
【００１５】
１０１      付着部
１０２      体温測定部
１０３      体温記録部
１０４      妊娠時期判断部
１０５      メール送信部
１０６      基礎体温データ
１０７      メールデータ
１０９      マイクロコンピューター部
１１０      人体
【図１】
0003140679.tif 000003
(57)【要約】【課題】墓参りに行って墓に線香を立てようとしても、線香立ての容器に入った砂が固くなって線香が埋まらないことがよくあった。【解決手段】線香を狭持できる所定の横間隔で立設された、針状体１に線香の下部を差し込むだけで、線香が狭持され直立を保持される。燃え残った線香は、針状体１を下向きにして、台２を手で反らす事により、針状体が開き、狭持していた線香が脱落される。【選択図】図３
0003140626.tif 000002
【実用新案登録請求の範囲】
【請求項１】
弾力性のある台に、線香が狭持出来る所定の横間隔で、針状体が、立設された線香立て。
【請求項２】
前記針状体を台の裏側から貫通させ、台に基台を展着し針状体の根元を挟み込んで固定した請求項１の線香立て。
【請求項３】
少なくとも前記針状体の先端が尖っている、
請求項1または２の線香立て。
【請求項４】
前記針状体の先端が傘状となっている請求項３の線香立て。
【請求項５】
少なくとも前記針状体の先端が丸みを有する請求項１または２の線香立て。
【請求項６】
前記針状体の先端が球状となっている請求項５の線香立て。
【考案の詳細な説明】
【技術分野】
【０００１】
本考案は、線香立てに関するものである。
【背景技術】
【０００２】
従来、線香を立てる時、器に入れられた砂や灰に線香の下部を埋めることにより立てられていた。
【０００３】
線香を針状体で狭持して立てた場合、燃え残った線香が針状体の間に挟まり残ったままであった。
【特許文献１】特開２００２−４５９５７
【考案の開示】
【考案が解決しようとする課題】
【０００４】
墓に設置された線香立ては、砂を入れた容器に線香の下部を埋めて線香を直立するものが多いが、器の砂が雨等で締固められて線香が砂に刺さらなく、強く差し込むと線香が折れる事がよくあった。
また、雨が降った後は砂が濡れ線香が湿気を吸い燃え残る。
【０００５】
複数の針状体に直立を狭持された線香立ては、燃え残った線香が針状体の間に残り、取り除くのにピンセットや針などの工具が必要となる。
【課題を解決するための手段】
【０００６】
この考案の線香立ては、弾力性のある台に、線香が狭持出来る所定の横間隔で針状体が立設されたことを特徴とする。また、前記針状体を台の裏側から貫通させ、台に基台を展着し針状体の根元を挟み込んで固定するようにするのが好ましい。
【０００７】
更に、少なくとも前記針状体の先端が尖らせるようにしても良い。例えば前記針状体の先端を傘状にしても良い。また、少なくとも前記針状体の先端が丸みを設けるようにしても良い。例えば前記針状体の先端を球状としても良い。前記台２を凸上状に反らすと針状体１の横間隔が広がり、線香を取り外すことができる。
【考案の効果】
【０００８】
所定の間隔で立設された、針状体１に線香４の下部を差し込むだけで、線香4が狭持され直立を保持されるため、砂のように、硬く締め固まることもなく、常に線香４を立てる事が出来る。燃え残った線香は、針状体１を下向きにして、台２を手で凸状に反らすと、針状体１の横間隔が開き、狭持していた線香が脱落される。
【考案を実施するための最良の形態】
【０００９】
柔軟性のある台２に、複数の針状体１を線香４が狭持される所定の間隔で立設される。針状体１の先端は線香４が針状体１の間に導き易いように尖っている、あるいは丸みを帯びている形状をしている。また、先端を球状にしてもよい。このようにすることで、線香の下端が台２に押し当てられると共に当該球状部分にて線香を挟むことができるので、より安定した線香の把持ができる。また、先端を傘状にしてもよい。このようにすることで、当該傘状部分上端が尖っているので針状体１を導きやすくなり、且つ、線香を挟んだ状態で傘状部分の周縁が線香に噛み込んで線香を抜け難くできる。そして、台２を凸状に反らす事により、線香４を狭持していた針状体１の横間隔が広がり線香４が容易に脱落する。
【００１０】
針状体１が貫設された台２を貫通して抜けないように針状体１の根元は広がった構造を有する。
【００１１】
貫設された針状体１の根元を台１と挟みこむように基台３を接着または、溶着して、針状体１が台１からの、陥没や脱落を防止する。
【００１２】
針状体１は錆にくい材質が望ましく、メッキ処理をされた金属、または、ステンレス製、銅製、不燃性の樹脂、またはセラミック製とする。
【００１３】
台１および基台２は柔軟性かつ、不燃性能または、難燃性能を有する樹脂性とする。
【実施例１】
【００１４】
以下、本考案の実施形態を、図面を参照にしながら説明する。
【００１５】
図１は本考案の断面図が示されている。
弾力性を有する台２に線香４が狭持出来る横間隔で貫設された複数の針状体１により線香４は直立に狭持される。針状体１の上端の先端は尖がり、または丸みを帯びた形状とし線香４を狭持するために導き易い形状とする。
【００１６】
図２は針状体１と、台２及び基台３の詳細図である。
針状体１の根元は広がりを有して、台２を貫通して抜け落ちを防止する。
針状体１の根元を挟み込む様に、台2の裏側に、基台３を接着または、溶着して針状体１の陥没や脱落を防止する
【００１７】
図３は本考案による燃え残った線香を撤去する断面図である。
図３の示すように、針状体１を下向きにして、台2および基台３を指で凸状に反らす事により、線香４を狭持していた針状体１の横間隔が広がり線香４が脱落される。
【００１８】
図４は針状体１の先端を傘状にした図面である。
【００１９】
図５は針状体１の先端に丸みをつけた図面である。
【００２０】
図６は針状体１の先端が球状になっている図面である。
【００２１】
図７は既設の線香立ての器に本考案を設置した断面図である。
本考案の線香立ては、墓に設置されている線香立ての容器に置くだけで使用することができる。
【００２２】
図８は本考案の平面図である。台２に線香４を狭持できる間隔で針状体１が立設されている。台１および基台３の形状は丸、楕円を含む多角形とし、針状体１の立設する範囲は定めないものとする。
【図面の簡単な説明】
【００２３】
【図１】本考案の概略断面図。
【図２】本考案の断面図。
【図３】燃え残った線香の撤去断面図。
【図４】針状体の先端を傘状にした断面図。
【図５】針状体の先端に丸みつけた断面図。
【図６】針状体の先端を球状にした断面図。
【図７】既存線香立てに設置した断面図
【図８】本考案の平面図
【符号の説明】
【００２４】
１  針状体
２  台
３  基台
４  線香
【図１】
0003140626.tif 000003
【図２】
0003140626.tif 000004
【図３】
0003140626.tif 000005
【図４】
0003140626.tif 000006
【図５】
0003140626.tif 000007
【図６】
0003140626.tif 000008
【図７】
0003140626.tif 000009
【図８】
0003140626.tif 000010
(57)【要約】      （修正有）【課題】しばらずにそのまま箱ごとリサイクルに出せて、しかも、部屋の美観を悪くしない古新聞と一緒にリサイクル出来る紙製の新聞入れを提供する。【解決手段】箱１を古新聞と一緒にリサイクル出来る紙でつくる。そして箱１の表面をコルクや布や大理石等の柄やきれいな色に印刷する。【選択図】図１
0003140402.tif 000002
【実用新案登録請求の範囲】
【請求項１】
古新聞と一緒にリサイクル出来る、色や模様等を印刷した紙で出来た新聞入れ。
【考案の詳細な説明】
【考案の詳細な説明】
【技術分野】
【０００１】この考案は、古新聞と一緒にリサイクル出来る紙製の新聞入れに関するものである。
【背景技術】
【０００２】従来、木やプラスチックで出来た新聞入れや、新聞屋がくれる紙袋で出来た新聞入れはあったが、新聞入れから出して紐でしばったりしなくてはならず面倒で、また、文字が書いてあったりして部屋の美観を悪くしていた。
【考案が解決しようとする課題】
【０００３】本案は、その欠点を除いて、しばらずにそのまま箱ごとリサイクルに出せて、しかも、部屋の美観を悪くしない新聞入れを開発しようとするものである。
【課題を解決するための手段】
【０００４】今その解決手段を説明すれば
（イ）古新聞と一緒に再生紙に出来る紙で出来た箱型の新聞入れにする。
（ロ）新聞入れの表面に模様をつけたり、きれいな柄を印刷したりする。
以上の構成からなる新聞入れである。
【考案を実施するための最良の形態】
【０００５】本案は以上のような構造であるから、これを使用する時は、新聞入れの中に古新聞を入れ、そのままたまったら資源ごみに出せばよい。【０００６】なお、考案の実施に当って次の如きことが出来る。
（イ）古新聞入れの箱（１）に持ちやすいように穴（２）をあける。
【考案の効果】
【０００７】したがって、部屋の美観も損ねず、捨てるときもしばらずにそのまま捨てれる。
【図面の簡単な説明】
【図１】本考案の斜視図
【符号の説明】
１は箱
２は穴
【図１】
0003140402.tif 000003
(57)【要約】      （修正有）【課題】給湯器から少量の湯を必要とするとき、多量の冷めた湯を捨てる無駄を解消する。【解決手段】給湯器に接続してある給湯管５から湯が給湯口２を通り貯湯容器１に入る。過熱期４で再加熱した貯湯容器１内部の湯が出湯口３から出湯管６を通り出湯水栓７から出る、給湯管５から出る湯が冷たい湯でも通過時に適温に保たれる。尚、出湯管６は短くし、加熱器４に温度調整器を取り付け給湯器出湯温度と同等の温度に設定する。。【選択図】図１
0003140403.tif 000002
【実用新案登録請求の範囲】
【請求項１】
給湯器から出た湯を密封した容器の一方の給湯口に入れ、他方の出湯口から出るようにし、容器のまわりに加熱器を取付け、出湯口に給湯水栓を接続することにより、少量でも湯が即時に出てくるように考案した給湯加熱器。
【考案の詳細な説明】
【技術分野】
【０００１】本考案は、容器に冷めた湯を溜め、再加熱し出湯するものである。
【背景技術】
【０００２】  洗面所等において、手洗い、洗顔時に少量の湯を必要としたとき、給湯器からの湯が、冷たくなって先に出てくる。
【考案の開示】
【考案が解決しようとする課題】
【０００３】  少量の湯が必要であっても、出湯水栓から先に冷たい湯が多量に出るのでこれを処分し、燃料及び水を無駄にしていた。
【課題を解決するための手段】
【０００４】  そこで、給湯管内の冷たい湯を容器に溜め再加熱し、給湯水栓近くに取り付けることにより、速やかに必要な温度の湯を得られるように考案した（図１）。この給湯加熱器により、冷たい湯を多量に処分することが無くなった。
【考案の効果】
【０００５】  本給湯加熱器を使用することにより、手洗い、洗顔時に少量でも適温の湯を出すことが出来、待機時間及び水と燃料を無駄にすることなく、省エネルギーである。
【考案を実施するための最良の形態】
【０００６】  本考案は図１に示すように、給湯器に接続してある給湯管５から湯が給湯口２を通り貯湯容器１に入る。加熱器４で再加熱した貯湯容器１内部の湯が出湯口３から出湯管６を通り出湯水栓７から出る、給湯管５から出る湯が冷たい湯でも通過時に適温に保たれる。尚、出湯管６は短くし、加熱器４に温度調整器を取り付け給湯器出湯温度と同等の温度に設定する。
【図面の簡単な説明】
【０００７】
【図１】  本考案の給湯加熱器の実施例を示す正面図である
【図２】  給湯過熱器の断面図である
【符号の説明】
【０００８】    １    貯湯容器
２    給湯口
３    出湯口
４    加熱器
５    給湯管
６    出湯管
７    出湯水栓
【図１】
0003140403.tif 000003
【図２】
0003140403.tif 000004
(57)【要約】      （修正有）【課題】古紙、使用済みコーヒー殻、樹脂等で作る植木鉢に蓋を付けた受け皿として使用できる蓋付き植木鉢の提供。【解決手段】古紙、使用済みコーヒー殻、樹脂等で作る植木鉢１に、周囲に高さのある受け皿としても使用できるよう設計された、蓋２をつける。【選択図】図１
0003140409.tif 000002
【実用新案登録請求の範囲】
【請求項１】
古紙、コーヒー殻、樹脂等で作る植木鉢に、受け皿にも使用できる蓋をつけた物。
【考案の詳細な説明】
【技術の分野】
【０００１】本考案は、古紙、使用済みコーヒー殻、樹脂等を使用して作った蓋のある植木鉢で、使用時にその蓋を受け皿として使用するように、設計してある。
【技術背景】
【０００２】植木鉢は、本体のみ、又は受け皿とセット、として扱われている。
【考案の開示】
【考案が解決しようとする課題】
【０００３】植木鉢は、本体のみ、又は受け皿とセットとして扱われているので、植木鉢の中に、直接土、種等入れ販売しにくい。又、広告用ロゴ等を入れる場合、植木鉢本体限られる。
【課題を解決するための手段】
【０００４】古紙、使用済みコーヒー殻、樹脂等を使用して作った植木鉢に、受け皿としても使用できるように設計した蓋をつける。
【考案の効果】
【０００５】植木鉢に蓋を付ける事で、販売時に中に、土、種等好みの物を直接入れる事が出来る。広告用に、ロゴ等印刷が蓋に出来、蓋を受け皿として使用時には、使用者には見えず、使い勝手が良い。
【考案を実施するための最良の形態】
【０００６】古紙、使用済みコーヒ殻、樹脂等で作った植木鉢に、受け皿としても使用できるように設計された、周囲に高さのあり、使用時にずれない蓋をつける。
【図面の簡単な説明】
【０００７】
【図１】  蓋を受け皿として使用時の、植木鉢
【図２】  蓋として使用時の植木鉢
【符号の説明】
【０００８】１  植木鉢
２  受け皿としても使用できる蓋
【図１】
0003140409.tif 000003
【図２】
0003140409.tif 000004
(57)【要約】【課題】より効果的なる乾式入浴装置を提供する。【解決手段】床面下方に埋設される発熱体と、該発熱体周囲に位置する伝熱板と、伝熱板に接して位置する浴槽と、浴槽内に適量投入されるセラミックボールとから構成されたことを特徴とする。【選択図】図４
0003140408.tif 000002
【実用新案登録請求の範囲】
【請求項１】
床面下方に埋設される発熱体と、該発熱体周囲に位置する伝熱板と、伝熱板に接して位置する浴槽と、浴槽内に適量投入されるセラミックボールとから構成されたことを特徴とする乾式入浴装置。
【請求項２】
伝熱板および発熱体に接して、シリカ体を混入して成形した伝熱体を位置させてなる請求項１記載の乾式入浴装置。
【請求項３】
浴槽の一側面に開口部を設けるとともに、該開口部を覆う蓋体を設け、蓋体のスライド機構を設けてなる請求項１又は２記載の乾式入浴装置。
【考案の詳細な説明】
【技術分野】
【０００１】  この考案は、発熱体とセラミックボールを用いた乾式の入浴装置に関する。
【背景技術】
【０００２】  従来より、湯を用いる湿式の入浴、蒸気を用いるサウナ、砂と湯による砂湯その他種々の入浴が多用されているが、本案に示すように、発熱体とセラミックボールを併用した入浴装置は現在のところ見あたらない。
【考案の開示】
【考案が解決しようとする課題】
【０００３】  入浴習慣は古来より行われ、主に湯を用いる入浴が多用されてきた。地域や国によってはサウナの利用も多い。近年、その普及が著しいのは岩盤浴である。これはセラミック材料の板体を加熱し、この板体上に布等を敷いてその上に人体を横たえることにて、セラミックから発する遠赤外線を人体に浸透させることにより血行を促進し、老廃物を除去する効果があるといわれる。これは遠赤外線にてこれらの効果が現れるのであるが、従来の岩盤浴は平板からの放熱となるので、効果が現れるまでに所定の時間を必要とし、より効果的な入浴法が期待されている。
本考案は、以上の入浴法とは異なるより効果のある入浴方式を考察した結果見いだされたものであり、セラミックボールを加温するとともに、人体を取り囲むように多数個位置させ、人体により密着した状態での遠赤外線放射を可能として、従来方式に比べより効果的なる入浴法を提供することを目的として開発されたものである。
【課題を解決するための手段】
【０００４】  課題を解決する手段として本案は以下の主要構成とした。
すなわち、床面下方に埋設される発熱体と、該発熱体周囲に位置する伝熱板と、伝熱板に接して位置する浴槽と、浴槽内に適量投入されるセラミックボールとから構成する。
本案は以上の構成よりなる乾式入浴装置である。
【考案の効果】
【０００５】  本案は以下の効果を有する。
１．浴槽内にセラミックボールを多数個位置させ、このボール内に人体を位置させ、発熱  体にてこのセラミックボールを加温する方式のため、発熱面積が大であるとともに人体  に近接した位置からの加温となって、より効果的な乾式入浴を行うことができる。
２．床面下方において、浴槽に密着してシリカ入りの伝熱板が位置し、この伝熱板に近接  して発熱体が位置し、発熱体と伝熱板間にはシリカ入りの伝熱体が位置するので、効果  的な伝熱を行うことができる。
３．浴槽の一部に蓋体を有する開口部を設けることにてセラミックボールの投入および排  出を容易に行うことができる。
【考案を実施するための最良の形態】
【０００６】  以下、本考案の実施形態について説明する。
図において、１は床面下方に埋設される下部伝熱体で、モルタルにシリカ破砕体およびシリカ粉体を混入して練り合わせ、所定厚の板状に成形固化させたものである。２は発熱体で、通電により発熱する抵抗発熱体であり、市販品である。この発熱体は下部伝熱体内に蛇行配置にて埋設され、その一端は外部電源に接続される。
３は上部伝熱体で、前記の下部伝熱体上方に接して位置し、モルタルにシリカ粉体を混入して練り合わせ、所定厚の板状に成形固化させたものである。４は伝熱板である。
これはシリカ塊体とシリカ粉体をモルタルと練り合わせ、内部に鉄筋を設けて平面視方形所定厚の板状に成形固化させたものであり、上部伝熱体上面にその上面を位置させて複数枚を配置して埋設施行される。以上の各部は床面下方に設置される。
５は浴槽である。これは表面加工を施した木板を上部開放無底の箱形に形成したものであり、床面にコーキングにて固着され、その側辺上部の一部は斜方に形成されて内部上方適所には手すり６が取り付けられる。７は開口部で、浴槽短辺方向の一方の面に形成される。８は蓋体で、開口部を覆うサイズの板体であり、細長板体折曲によるガイド板９内に位置し、このガイド板に沿って上下にスライド可能である。１０はセラミックボールである。これはセラミックを用いて直径数ミリメートル程度の球体に形成したものであり、浴槽内に適量が投入される。【０００７】  本案を使用するにはまず、発熱体に通電することにて発熱が開始され、発熱体に接して周囲に位置する下部伝熱体に熱が伝わり、同様に上部伝熱体および伝熱板へと熱が伝わる。
この熱は浴槽底部からセラミックボールへと伝わる。
使用者は図のごとく、セラミックボール内に体を横たえて所定時間この状態を保つことにより、セラミックボールからの放熱とくに遠赤外線の放射を受けて血行が促進され、老廃物が排出される。既述のように従来は平板状部分からの放熱であるが、本案は体表面に近接および接触して位置するセラミックボールからの放熱のために、より効果的な入浴が可能となる。また、発熱体周囲および上方にシリカ入りの伝熱体および伝熱板が位置し、ここからも遠赤外線の放射が行われるために、セラミックボールへの伝熱がスムースに行われる。また、浴槽壁面の一部に斜方部分を設け、手すりを設けたので使用者の浴槽内への移動が容易である。
以上、本案について記したが、既述の例は実施の一例であり、近似の他の構成としてもよい。また、必要に応じて枕を使用し、適宜にセラミックボールの量を加減して用いてもよい。ある程度の期間使用した後は、蓋体を上方にスライドさせてセラミックボールを排出して洗浄し、元に戻して再び使用する。セラミックボールの外径は任意であり、放熱効果および使用感を考慮して適宜に設定することができる。
以上のごとく、本案によって効果的なる乾式入浴を行うことのできる有用なる入浴装置を提供することができる。
【図面の簡単な説明】
【０００８】
【図１】  本考案の平面図（セラミックボール不投入時）
【図２】  本考案の正面図
【図３】  本考案の左側面図
【図４】  本考案の構造および使用状態説明図
【符号の説明】
【０００９】１    下部伝熱体
２    発熱体
３    上部伝熱体
４    伝熱板
５    浴槽
６    手すり
７    開口部
８    蓋体
９    ガイド板
１０  セラミックボール
【図１】
0003140408.tif 000003
【図２】
0003140408.tif 000004
【図３】
0003140408.tif 000005
【図４】
0003140408.tif 000006